(57)【特許請求の範囲】
【請求項１】
長手方向の両端部に前記長手方向の同方向に向いた複数のシャフト受けを有して取付面に取付けられる細長形状の器具本体と、前記器具本体を被覆するとともに開口縁が前記取付面に当接された状態で長手方向に摺動することにより前記シャフト受けに係合可能でかつ前記器具本体の短手方向に延びるシャフトを側部の内面に突設した弾性を有するグローブとを備えた照明器具。
【請求項２】
前記シャフトはその先端が前記取付面から離れる方向に傾斜している請求項１記載の照明器具。
【発明の詳細な説明】
【０００１】
【産業上の利用分野】
この発明は、照明器具に関するものである。
【０００２】
【従来の技術】
従来例を図７および図８に示す。すなわち、図７の照明器具は、グローブ７０の下面に設けたつまみねじ７１によりグローブ７０を器具本体７２に取付けている。
図８の照明器具は、グローブ７０の側面に設けたつまみねじ７１によりグローブ７０を器具本体７２に取付けている。
【０００３】
【発明が解決しようとする課題】
しかし、これらの照明器具は、つまみねじ７１が外観に見えるため、美観を低下させ、また片側のつまみねじ７１を取付けた状態で反対側のつまみねじを外した場合、手を離すとグローブ７０が破損するという欠点があった。
また図７の照明器具は、つまみねじ７１の操作時にグローブ７０の自重が加わるため、施工がやりづらく、図８の照明器具は、天井とグローブ７０の間に隙間が発生するので防虫効果がないという欠点があった。
【０００４】
したがって、この発明の目的は、つまみねじを省略でき、防虫効果を有し、しかもグローブを破損することなく施工が容易にできる照明器具を提供することである。
【０００５】
【課題を解決するための手段】
請求項１の照明器具は、長手方向の両端部に前記長手方向の同方向に向いた複数のシャフト受けを有して取付面に取付けられる細長形状の器具本体と、前記器具本体を被覆するとともに開口縁が前記取付面に当接された状態で長手方向に摺動することにより前記シャフト受けに係合可能でかつ前記器具本体の短手方向に延びるシャフトを側部の内面に突設した弾性を有するグローブとを備えたものである。
【０００６】
請求項２の照明器具は、請求項１において、前記シャフトの先端が前記取付面から離れる方向に傾斜しているものである。
【０００７】
【作用】
請求項１の照明器具によれば、器具本体を取付面に取付け、器具本体に被さるようにグローブの開口縁を取付面に当接して、その状態でグローブを長手方向にスライドすることにより、シャフトが器具本体のシャフト受けに係止し、グローブが器具本体に取付けられる。この場合、グローブの開口縁と取付面との間に隙間が発生しないので防虫効果が得られ、シャフトをシャフト受けにスライドすることによりグローブを器具本体に取付けることができるので、施工が容易で保守も簡単にできるとともに、つまみねじを省略できるので外観を向上でき、しかも構造が簡単で軽量化が可能で安価にできる。またシャフトがシャフト受けに係止するときグローブの全体がたわんで取付面に密接し、従来のようにつまみねじによる係止部分に局部的な応力がグローブに加わらないのでグローブが破損するのを防止することができる。
【０００８】
請求項２の照明器具によれば、請求項１において、前記シャフトの先端が前記取付面から離れる方向に傾斜しているため、請求項１の作用のほか、シャフトをシャフト受けにスライドするときにシャフトの先端が取付面の方向に回動し、グローブの開口縁部が弾性的に外方に広がるので、取付面に対する密着状態が良くなり、取付面に凹凸がある場合にも対応可能である。
【０００９】
【実施例】
この発明の一実施例を図１ないし図６により説明する。すなわち、この照明器具は、器具本体１と、グローブ２とを有する。
器具本体１は、細長形状であって、長手方向の同方向に向いた複数のシャフト受け４を有して取付面３に取付けられている。実施例の器具本体１は断面略逆Ｕ字形であり、両端にランプソケット６を設け、中央に端子台７および安定器８を設け、その間に電源線挿通孔９を形成し、また取付ねじ１０により取付面３である天井面に取付けている。
【００１０】
またシャフト受け４は、器具本体１の取付ねじ１０の近傍にそれぞれ取付けられ、器具本体１の上面に載せて取付ねじ１１により器具本体１に取付けられた載置部１２と、この載置部１２の両端部より折曲して垂下した略Ｌ字形であって先端が器具本体１の長手方向の同方向に向いた受け部１４と、この受け部１４の先端部の上面の先端側に形成したストッパ凹部１５と、受け部１４の下端部より器具本体１の幅方向の外方に延出した落下防止片１６とを形成している。
【００１１】
グローブ２は、弾性を有するプラスチック製であり、器具本体１を被覆するとともに開口縁２ａが取付面３に当接された状態で長手方向に摺動することによりシャフト受け４に係合可能なシャフト５を側部の内面に突設している。このシャフト５は頭部１７の近傍にねじを設けたピンを実施例とし、グローブ２に形成した孔１８に外側から挿入し、裏面からワッシャ２０およびナット１９介して締付けている。また頭部１７およびワッシャ２０とグローブ２との間にパッキン２１，２２を介在している。この場合、開口縁２ａは外向きに広がるように傾斜しているが、開口縁２ａの孔１８を有する部分２ｂは多少内向きに傾斜し、シャフト５は図５に示すように、取付面３に対して角度θ離れる方向に傾斜している。したがって、シャフト５が受け部１４に係止した状態でグローブ２の開口縁が取付面３に当接しているのでシャフト５が取付面３に接近する方向に回動し、グローブ２の開口縁２ａ，２ｂが弾性変形して取付面３への密着状態が良くなるようにしている。
【００１２】
この照明器具は、器具本体１を取付面３に取付け、器具本体１に被さるようにグローブ２の開口縁２ａを取付面３に当接して、その状態でグローブ２を長手方向にスライドすることにより、シャフト５が器具本体１のシャフト受け４に係止し、グローブ２が器具本体１に取付けられる。取付状態で振動等によりシャフト５が受け部１４の先端側に移動すると、ストッパ凹部１５に係止するので落下を防止でき、また器具本体１の幅方向に移動することによりシャフト５の先端が受け部１４から抜けても落下防止片１５に当たるので落下防止することができる。グローブ２を取り外す際にはグローブ２を取付時と反対方向にスライドしてストッパ凹部１５を乗り越えて、ランプ交換等の保守を行なう。
【００１３】
この実施例によれば、グローブ２の開口縁２ａと取付面３との間に隙間が発生しないので防虫効果が得られ、シャフト５をシャフト受け４にスライドすることによりグローブ２を器具本体１に取付けることができるので、施工が容易で保守も簡単にできるとともに、つまみねじを省略できるので外観を向上でき、しかも構造が簡単で軽量化が可能で安価にできる。またシャフト５がシャフト受け４に係止するときグローブ２の全体がたわんで取付面３に密接し、従来のようにつまみねじによる係止部分に局部的な応力がグローブ２に加わらないのでグローブ２が破損するのを防止することができる。
【００１４】
またシャフト５の先端が取付面３から離れる方向に傾斜しているため、シャフト５をシャフト受け４にスライドするときにシャフト５の先端が取付面３の方向に回動し、グローブ２の開口縁２ｂが弾性的に外方に広がるので、取付面２ａに対する密着状態が良くなり、取付面２ａに凹凸がある場合にも対応可能である。さらに、受け部１４にストッパ凹部１５を設けているため、グローブ２が微振動で受け部１４の先端に向けて動いてもグローブ２が脱落することを防止することができる。
【００１５】
また落下防止片１６を受け部１４の下端部に設けているため、グローブ２が器具本体１の幅方向に動いてシャフト５の先端が受け具４から外れても落下防止片１６に当たるので、グローブ２を落下防止することができ、またグローブ２の取付け作業の際にシャフト５の先端を落下防止片１６に仮支持することができるので便利になる。
【００１６】
【発明の効果】
請求項１の照明器具によれば、グローブの開口縁と取付面との間に隙間が発生しないので防虫効果が得られ、シャフトをシャフト受けにスライドすることによりグローブを器具本体に取付けることができるので、施工が容易で保守も簡単にできるとともに、つまみねじを省略できるので外観を向上でき、しかも構造が簡単で軽量化が可能で安価にできる。またシャフトがシャフト受けに係止するときグローブの全体がたわんで取付面に密接し、従来のようにつまみねじによる係止部分に局部的な応力がグローブに加わらないのでグローブが破損するのを防止することができるという効果がある。
【００１７】
請求項２の照明器具によれば、請求項１において、前記シャフトの先端が前記取付面から離れる方向に傾斜しているため、請求項１の効果のほか、シャフトをシャフト受けにスライドするときにシャフトの先端が取付面の方向に回動し、グローブの開口縁部が弾性的に外方に広がるので、取付面に対する密着状態が良くなり、取付面に凹凸がある場合にも対応可能である。
【図面の簡単な説明】
【図１】この発明の一実施例の部分側面図である。
【図２】照明器具の断面図である。
【図３】平面図である。
【図４】照明器具を幅方向に切断した状態の拡大断面図である。
【図５】シャフトを示す部分側面図である。
【図６】シャフトの取付状態の部分斜視図である。
【図７】従来例の部分側面図である。
【図８】他の従来例の部分側面図である。
【符号の説明】
１    器具本体
２    グローブ
３    取付面
４    シャフト受け
５    シャフト
【図１】
0003572657.tif 000002
【図２】
0003572657.tif 000003
【図３】
0003572657.tif 000004
【図４】
0003572657.tif 000005
【図５】
0003572657.tif 000006
【図６】
0003572657.tif 000007
【図７】
0003572657.tif 000008
【図８】
0003572657.tif 000009